(57)【要約】【課題】  容易に再読取した画像を確認でき、ユーザにとって利便性の高い画像処理装置および画像処理方法を提供できる。【解決手段】  制御部１０は、画像読取部１１により原稿を読取った画像の縮小画像を所定数並べて表示部１３に一覧表示し、一覧表示されている画像のうち入力部１４で再読取が指定された原稿の画像を指定された条件で再読取し、表示部１３に表示されている一覧表示において再読み取りした原稿の画像を先に読取った画像上にずらした状態で重ねて表示するようにしたものである。【選択図】      図１
2008301502.tif 000002
【特許請求の範囲】
【請求項１】
第１の条件で原稿の画像を読取る読取部と、
前記読取部により読取った画像を記憶する記憶部と、
前記第１の条件で読取った画像の縮小画像を所定数並べて一覧表示する表示部と、
前記表示部に表示されている画像のうち再読取する画像と再読取のための第２の条件とを操作者が指定するための入力部と、
前記入力部により指定された第２の条件で前記読取部により再読取りされる原稿の画像を前記記憶部に記憶し、さらに、前記第２の条件で読取った画像の縮小画像を前記表示部に表示されている画像のうち対応する画像上にずらした状態で重ねて表示する制御部と、
を具備したことを特徴とする画像処理装置。
【請求項２】
前記入力部では、さらに、前記表示部による表示画面において重ねて表示されている画像のうち何れか一方を操作者が指定し、
前記制御部は、さらに、前記表示画面において下層に表示されている画像の指定が前記入力部により指定された場合、前記表示画面において上層に表示されている画像と下層に表示されている画像とを入れ替えて表示させる、
ことを特徴とする前記請求項１に記載の画像処理装置。
【請求項３】
前記入力部では、さらに、前記表示部に重ねて表示されている画像のうち上層に表示されている画像の印刷を操作者が指定する、
ことを特徴とする前記請求項１に記載の画像処理装置。
【請求項４】
画像処理装置に用いられる画像処理方法であって、
第１の条件で原稿の画像を読取り、
前記第１の条件で読取った画像を記憶し、
前記第１の条件で読取った画像の縮小画像を所定数並べて一覧表示し、
前記一覧表示されている画像のうち再読取する画像と再読取のための第２の条件とが操作者により指定された場合、前記再読取が指定された画像の原稿を前記第２の条件で読取り、
前記第２の条件で読取った原稿の画像を記憶し、
前記第２の条件で読取った画像の縮小画像を前記一覧表示されている画像のうち対応する画像上にずらした状態で重ねて表示する、
ことを特徴とする画像処理方法。
【請求項５】
さらに、前記一覧表示において重ねて表示される画像のうち下層に表示されている画像が操作者により指定された場合、前記指定された下層の画像と当該下層の画像に対して上層に表示されている画像とを入れ替えて表示させる、
ことを特徴とする前記請求項４に記載の画像処理方法。
【請求項６】
さらに、前記一覧表示において重ねて表示されている画像の印刷が操作者により指定された場合、前記印刷が指定された重ねて表示されている画像のうち上層に表示されている画像の印刷を指示する、
ことを特徴とする前記請求項４に記載の画像処理方法。
【請求項７】
さらに、前記第１の条件で読取った画像に対してエラー検知処理を実行し、
前記一覧表示において、前記エラー検知処理にエラーが検出された画像は、エラー画像であることを示す情報を付与して表示する、
ことを特徴とする前記請求項４に記載の画像処理方法。
【発明の詳細な説明】
【技術分野】
【０００１】
この発明は、例えば、ディジタル複写機などがネットワーク接続された環境で利用される画像読取システムに関する。
【背景技術】
【０００２】
従来、画像読取システムは、ネットワークに接続されたディジタル複写機に代表されるようなＡＤＦを持つ高速スキャナなどの複数のユーザに共有された装置を使用して文書単位での画像の読取を一括・高速で行う。
【０００３】
他方、パーソナルコンピュータ（ＰＣ）に直接接続された低速スキャナで画像読取を行なう際は、プリスキャンを行ないページサイズ、解像度、濃度、色などの読取時の設定を微調整し実際の画像読取を行なう。
【０００４】
上記のように、ネットワークで接続され、複数のユーザに共有される高速スキャンを搭載するディジタル複写機を利用した画像読取システムでは、複数頁からなる文書単位の原稿の画像を一括、高速に読取処理することができる。
【０００５】
しかしながら、上記のように構成される画像読取システムでは、以下のような問題点がある。
【０００６】
（１）複数ページからなる文書の内容の確認や設定を調整した後に画像が的確に入力されているかどうかの確認を、入力作業を行っているその場で容易に行う手段がない。
【０００７】
（２）入力の領域を設定した時、入力設定を調整した後で画像がどのように変化したかを容易に確認する事ができない。
【０００８】
（３）画像が適切に入力されたかどうかを自動的に判断する手段がなく、再入力をすべきかどうかを容易に決定する事ができない。
【０００９】
（４）入力設定の異なる画像を比較用に選択して保管する事ができなかい。
【００１０】
（５）文書の本スキャン作業を行っている際に、それまでの段階で得られた画像をそのまま保存画像として使用するページが存在する場合がある。そのようなページは本スキャンを行わずシートフィードのみを行う。文書の残り全てのページが本スキャンを必要としない場合、ただシートフィードのみを行う作業を続けなければならず、画像の入力作業にかかる総時間が長くかかっていた。
【００１１】
（６）作業を中断すると文書の総ページ数がわからないためにシートフィードミスによる読取処理のエラーが検出できない。
【特許文献１】特開平８−１６３２９３号公報
【特許文献２】特開平１０−７９８４９号公報
【特許文献３】特開平７−３２５９３２号公報
【発明の開示】
【発明が解決しようとする課題】
【００１２】
この発明の一形態は、容易に再読取した画像を確認することができ、ユーザの利便性を向上させることができる画像処理装置および画像処理方法を提供することを目的とする。
【課題を解決するための手段】
【００１３】
この発明の一形態としての画像処理装置は、第１の条件で原稿の画像を読取る読取部と、前記読取部により読取った画像を記憶する記憶部と、前記第１の条件で読取った画像の縮小画像を所定数並べて一覧表示する表示部と、前記表示部に表示されている画像のうち再読取する画像と再読取のための第２の条件とを操作者が指定するための入力部と、前記入力部により指定された第２の条件で前記読取部により再読取りされる原稿の画像を前記記憶部に記憶し、さらに、前記第２の条件で読取った画像の縮小画像を前記表示部に表示されている画像のうち対応する画像上にずらした状態で重ねて表示する制御部と、を具備したことを特徴とする画像処理装置。
【００１４】
この発明の一形態としての画像処理方法は、画像処理装置に用いられる方法であって、第１の条件で原稿の画像を読取り、前記第１の条件で読取った画像を記憶し、前記第１の条件で読取った画像の縮小画像を所定数並べて一覧表示し、前記一覧表示されている画像のうち再読取する画像と再読取のための第２の条件とが操作者により指定された場合、前記再読取が指定された画像の原稿を前記第２の条件で読取り、前記第２の条件で読取った原稿の画像を記憶し、前記第２の条件で読取った画像の縮小画像を前記一覧表示されている画像のうち対応する画像上にずらした状態で重ねて表示する。
【発明の効果】
【００１５】
この発明の一形態によれば、容易に再読取した画像を確認することができ、ユーザの利便性を向上させることができる画像処理装置および画像処理方法を提供できる。
【発明を実施するための最良の形態】
【００１６】
以下、この発明の実施の形態について図面を参照して説明する。
【００１７】
図１は、この発明の実施の形態に係わる画像読取システムの構成例を示すブロック図である。
【００１８】
この画像読取システムは、図１に示すように、制御部１０、画像読取部１１、記憶部１２、表示部１３、入力部１４、画像処理部１５、印刷部１６、通信部１７、および画像解析部１８から構成されている。
【００１９】
上記制御部１０は、画像読取システム全体を制御するものである。
【００２０】
上記画像読取部１１は、複数頁からなる文書単位の原稿を１枚ずつ順次給紙する自動原稿給紙装置（ＡＤＦ）１１ａを有し、このＡＤＦ１１ａにより給紙される原稿の画像を読取るものである。
【００２１】
上記記憶部１２は、読取画像を管理する管理テーブル１２ａを有し、上記画像読取部１１により読取った原稿の画像を記憶するものである。
【００２２】
上記表示部１３は、タッチパネルを内蔵し、ユーザに対して読取った画像を表示するとともに、ユーザによる種々の指示キーが表示されるものである。
【００２３】
上記入力部１４は、上記表示部１３のタッチパネルに表示される指示キーであっても良いし、テンキーやスタートキーなどのハードキーや指示キーを表示する小型のタッチパネルで構成される操作パネルでも良い。
【００２４】
上記画像解析部１８は、上記画像読取部１１により読取った画像の内容を解析するものである。
【００２５】
次に、この画像読取システムの利用環境例を図２に示す。図２に示すように、この画像読取システムの利用環境は、ディジタル複写機２０がネットワーク２１を介して種々のデータを管理するサーバ２２、およびパーソナルコンピュータなどの複数のクライアント２３に接続されるネットワーク環境で利用される。
【００２６】
上記ディジタル複写機は、少なくとも画像読取部１１、記憶部１２、および表示部１３、入力部１４を具備し、ユーザの操作による文書単位の原稿の読取り処理が実行されるものである。
【００２７】
このようなネットワーク環境において、ディジタル複写機２０には、上記図１で示すような画像読取システムを構成する各構成要素が全て具備されるか、あるいは一部の構成要素のみが具備される。なお、画像読取システムを構成する各構成要素は、読取部、表示部、および入力部が画像読取装置としてのディジタル複写機内あるいはその近傍に設けられていれば、ネットワーク２１上のどの機器に具備されていても良い。
【００２８】
また、上記のようなネットワーク環境で、この画像読取システムを利用するユーザは、複数頁からなる文書単位の原稿を持ってディジタル複写機２０の前に行く。そして、ディジタル複写機２０を読取機能（スキャンモード）に設定し、文書単位の全ての原稿を読取る処理（プリスキャン処理）を行い、さらに、プリスキャン処理で読取った画像のうちで再読取が必要な原稿を指定し、この指定された再読取が必要なページの画像を読取る処理（本スキャン処理）を行うことによって文書単位の原稿の画像を読取りを行う。このような処理により読取った画像は、例えば、サーバ２２で管理するデータベースに保存し、ユーザが操作するクライアント２３により利用されるようになっている。
【００２９】
図３は、ディジタル複写機２０で、スキャンモードを設定する際の設定画面の例を示す図である。この例では、ユーザによる指示が、ディジタル複写機２０に設けられた表示機能及び操作機能を備えたタッチパネル内蔵の表示装置（表示部１３、入力部１４）によって行われる。なお、上記のようなスキャンモードの設定は、ハードキー、あるいは小型のタッチパネル内蔵の操作パネルなどで行われるようにしても良い。
【００３０】
ユーザは、表示部１３に表示される図３に示すような設定画面に対して、ページ単体のスキャンを行う際の指示キー３１、あるいは文書単位の複数の原稿を連続してスキャンする際の指示キー３２のいずれかを指示することによりディジタル複写機２０をスキャンモードに設定する。
【００３１】
図４は、この画像読取システムを利用するユーザを特定して認証するため、ユーザＩＤおよびパスワードを入力するユーザ登録画面の表示例を示す図である。図４に示すように、ユーザは、表示部１３の画面上に表示されるテンキー４３によりユーザＩＤの欄４１にユーザＩＤを入力するとともに、パスワードの欄４２にパスワードを入力するようになっている。このユーザ登録画面で入力したユーザＩＤおよびパスワードが画像読取システムにより認証された際に、ユーザがこの画像読取システムを利用できるようになっている。
【００３２】
次に、読取った画像データを管理する管理テーブル１２ａについて説明する。
【００３３】
図５は、プリスキャン処理終了後の管理テーブル１２ａの例を示す図である。図５に示すように、管理テーブル１２ａは、セッションＩＤフィールド５１、ユーザＩＤフィールド５２、総ページ数フィールド５３、ページ番号フィールド５４、フラグフィールド５５、種々のパラメータフィールド５６、領域フィールド５７、および画像データフィールド５８から構成されている。
【００３４】
上記セッションンＩＤフィールド５１には、他の読取処理（セッション）と分別するため、読取処理ごとに付与されるセッションＩＤが記録される。上記ユーザＩＤフィールド５２には、そのセッションを行っているユーザを示すユーザＩＤが記録される。上記総ページ数フィールド５３には、プリスキャン処理時にＡＤＦ１１ａから原稿を給紙する際にカウントされる文書単位の原稿の総ページ数が記録される。
【００３５】
また、上記ページ番号フィールド５４には、文書単位の原稿に対するページ番号が割り当てられる。上記フラグフィールド５５には、フラグが記録され、次回の本スキャンで再読取が必要である場合、あるいは後述するエラー検知処理でエラーが検知された場合に、フラグとしての値が変更される。上記各種パラメータフィールド５６には、画像を読取った際の読取モード、解像度、濃度などのパラメータが記録される。上記領域フィールド５７には、指定された領域範囲が記録されるが、プリスキャンでは全てのページを同じ条件で入力するため、各種入力設定値は同じである。上記画像データフィールド５８には、画像データが保存される。
【００３６】
図６は、管理テーブル１２ａで管理されるプリスキャンで得られた読取画像を表示部１３に表示する際の表示例を示す図である。プリスキャンにより原稿の画像を読取ると、図６に示すように、ユーザが読取った画像を確認するため、表示部１３にプリスキャンで得られたページの一覧が表示される。また、画像解析部１８により読取画像にエラーが検知された場合、そのページに対しては、エラー画像６１であることを示す印を付与して表示する。また、表示部１３に一度に表示しきれないページの画像については表示画面をスクロールすることにより表示される。また、各ページの読取画像にはページ番号が付与されている。これにより、ユーザは表示されている画像が何ページ目であるかを把握する事ができる。
【００３７】
このような表示により、ユーザは、プリスキャンした全てのページの読取画像を表示部１３で見ることができ、その表示を見ながら入力設定の変更して再読取が必要なページを探す事ができる。さらに、エラーのあった読取画像のページを容易に知る事ができる。
【００３８】
ユーザは、図６に示すような表示画面により読取り画像を確認し、設定内容を変更して再読取が必要なページを指定する際、直接表示されている画像をタッチパネルによって入力して指定したり、ページ番号をテンキー４３によって入力することにより指定するようになっている。
【００３９】
上記のように、画像解析手段によって、入力された画像が適切でないかどうかを判断し、この判断により読取画像が適切でないと判断された際、そのページを「画像確認」時に明示することによってユーザに再読取を促すようにした。
【００４０】
その結果、傾きやかすれなどの読取エラーが生じた時、再読取が必要であることを確認しやすくなった。
【００４１】
図７は、ユーザが指定したページのみを全画面表示した際の表示例を示す図である。すなわち、上記図６に示すようなプリスキャンした画像の一覧からユーザがページを指定すると、図７に示すように、ユーザにより指定されたページのみを表示部１３の表示画面左側の画像表示領域７１に表示する。さらに、この表示画面の右側には、テンキー４３、倍率設定キー７２、モード指定キー７３、解像度指定キー７４、濃度指定キー７５、および試し印刷キー７６が表示される。また、ユーザが読取画像の詳細な表示を必要する際に、倍率キー７２により表示する画像の倍率を変更する。
【００４２】
また、ユーザが読取画像に対して表示領域を指定すると、その領域だけを画像表示領域７１に表示するようになっている。これにより、ユーザが画像を確認しやすい表示を提供できる。
【００４３】
図８は、プリスキャン処理により読取った画像に対してユーザが再読取（本スキャン）を設定した後の管理テーブル１２ａの例を示す図である。すなわち、図５に示すように、プリスキャン終了時に作成された管理テーブル１２ａは、ユーザの再設定に基づいて再構成される。
【００４４】
また、この管理テーブル１２ａには、図５と同様に、セッションＩＤフィールド５１、ユーザＩＤフィールド５２、総ページ数フィールド５３、ページ番号フィールド５４、各種バラメータフィールド５６、領域フィールド５７、画像データフィールド５８にプリスキャン終了時の値がそのまま記録される。
【００４５】
そして、ユーザによる読取画像の確認によって再読取に対する設定の変更があったページについては、フラグフィールド５５に記録される。そして、その１つ下段にコラムが追加され、フラグフィールド５５の値に１つ上段の値に１を加算された値が記録される。さらに、このコラムには、本スキャン用にユーザに調整された設定内容が記録される。
【００４６】
例えば、ページ番号２に対して、ノーマルモード、２００ｄｐｉ、濃度５でプリスキャンしたページ番号２を、写真モード、４００ｄｐｉ、濃度３に調整して再読取を指示する。すると、図８に示すように、プリスキャン時のページ番号２のコラムの下段に、新たに変更された設定とともに、フラグが１として記録されたコラムが追加される。
【００４７】
このように、再読取のページとして変更した設定のコラムを新たに作成して追加することにより、次回の本スキャンでのスキャン実行を予約することができる。
【００４８】
この際、エラーが検知されている場合、フラグフィールド５５には、あらかじめ１の値が記録されているが、ユーザによって次回の本スキャンでの必要がないと指示されれば、この作業はおこなわれず予約されない。
【００４９】
以下同様に、変更を指定したページについては管理テーブル１２ａに追記していくようになっている。
【００５０】
図９は、ユーザが総ページ数の確認を実行するか否かを選択する選択画面の表示例を示す図である。すなわち、本スキャン処理を終了した際に、図９に示すように、表示部１３に「総ページ数の確認を行いますか」という案内と、「はい」あるいは「いいえ」と表示される指示キーが表示される。この表示に対して、ユーザは、総ページ数の確認を実行する場合には、「はい」と表示されてる指示キーを指示し、総ページ数の確認を実行しない場合には、「いいえ」と表示されてる指示キーを指示するようになっている。
【００５１】
図１０は、総ページ数の確認を実行し、プリスキャン時の総ページ数と本スキャン時の総ページ数とが一致しなかった場合に、表示部１３に表示されるエラー通知の表示例を示す図である。すなわち、プリスキャン時の総ページ数と本スキャン時の総ページ数とが一致しない場合、図１０に示すように、表示部１３にプリスキャンおよび本スキャンの両者の総ページ数を提示するとともに、シートフィードにミスがあったことをユーザに通知する案内を表示する。
【００５２】
図１１は、本スキャン後に、文書の全ページ分の読取画像を一覧で表示する際の表示例を示す図である。図１１に示すように、読取画像の確認画面は、図６に示す確認画面とほぼ同様な形式で表示され、本スキャンを行ったページに関しては、本スキャンで得られた画像をプリスキャンで得られた画像に重ねて表示し、本スキャンが行われた事を明示して表示する。また、入力設定で領域を指定されたページに対しては、その指定領域だけを表示する。これにより、ユーザは、その表示を見ながら本スキャンで得られた画像を確認したり、さらに入力設定調整が必要かどうかの判断ができる。
【００５３】
図１２は、読取画像をさらに詳細に確認するために、指定されたページのみを全画面表示した際の表示例を示す図である。図１３に示すように、図７とほぼ同様の形式で表示され、表示画面左側の画像表示領域７１にはプリスキャン画像と本スキャン画像を重ねて表示し、表示画面右側には、テンキー４３、倍率設定キー７２、モード指定キー７３、解像度指定キー７４、濃度指定キー７５に加えて、試し印刷を指示する試し印刷キー７６、プリスキャン画像と本スキャン画像とを並べて表示する指示を行う指示キー７７、画像を消去する消去キー７８が表示される。画像表示領域７１に表示する読取画像は、どの読取画像を確認するかを指定することによって最上層に表示される画像を指定する。
【００５４】
上記試し印刷キー７６は、表示されている最上層の表示ページの試し印刷を指示するものである。また、上記指示キー７７は、重ねて表示されているプリスキャン画像と本スキャン画像とをより容易に比較するために、図１３に示すように、並べて表示することを指示するものである。
【００５５】
上記のように、プリスキャンおよび本スキャンによって読取った複数ページからなる文書の画像を表示手段によって、その場で一覧及び詳細に表示し、この表示により読取時の設定内容を変更して再読取したページについては、変更前の読取画像と、変更後の読取画像とを同時に並べてするようにした。
【００５６】
これにより、この指示によって前回読取った画像（プリスキャン画像）と今回読取った画像（本スキャン画像）を並べて同時に表示し、容易に比較ができる。
【００５７】
また、領域指定を行われていたページについて指示キー７７により並べて表示することが指示された場合、図１４に示すように、その領域だけを抽出して並べて表示する。
【００５８】
上記のように、読取画像の領域を設定したページについては、再読取後の比較表示の際に指定領域を抽出して表示するようにした。
【００５９】
その結果、目的となる領域の画像が適切に得られたかどうかを容易に比較できる。
【００６０】
次に、再設定を行った場合に、それまでに読取った画像を一時的に内部に保存する過程における管理テーブル１２ａについて説明をする。
【００６１】
図１５は、本スキャン後の管理テーブル１２ａの例を示す図である。例えば、読取時の設定の再調整を行い画像読取を続ける場合、これまで読取った画像と次回に読取る画像とを比較したいという要求がある。このため、プリスキャンおよび本スキャンで読取った画像は、管理テーブル１２ａによって比較もしくは最終的な登録用の画像として一時的に内部に保存されている。
【００６２】
さらに、ユーザが満足する読取画像が得られるまで本スキャンを繰り返すうちに、ユーザによって比較もしくは登録する読取画像の候補から除外される画像もある。このような場合に、ユーザがその候補から除外された画像を消去するか否かを選択する。これにより、保存する必要のない画像を記憶部１２から消去することがき、管理テーブル１２ａの利用する記憶容量の無駄を少なくすることができる。
【００６３】
また、消去せずに保存すると指示された画像については、図１５に示すように、管理テーブル１２ａで管理する。すなわち、ユーザにより管理テーブル１２ａが入力設定再調整の設定終了後に再構成され、同様にセッションＩＤフィールド５１、ユーザＩＤフィールド５２、プリスキャンでの総ページ数フィールド５３、本スキャンでの総ページ数フィールド５４、ページ番号５５、各種パラメータフィールド５６、領域フィールド５７、画像データフィールド５８が記録される。
【００６４】
この場合、画像の確認によってさらに入力設定の変更があったページについてはフラグフィールド５５に記録される。そして、その１つ下段にコラムが追加され、フラグフィールドの値には１つ上段の値に１が加算された値が入る。そして本スキャン用に調整された設定内容が記録され、次回の本スキャンでのスキャン実行を予約することができる。以下同様に、変更を指定したぺージについては管理テーブル１２ａに追記していく。
【００６５】
たとえば、図１５では、ページ番号２に対して、ノーマルモード、２００ｄｐｉ、濃度５でプリスキャンし、ページ番号２を、写真モード、４００ｄｐｉ、濃度３に変更して本スキャンした場合に、図８に示すように、管理テーブル１２ａが設定されている。さらに、再度、このページ番号２に対して、写真、６００ｄｐｉ、濃度４で、本スキャンを設定した場合、前回の本スキャン時のページ番号２のコラムの下段に、新たに変更された設定内容とともに、フラグが２として記録されたコラムが追加される。
【００６６】
上記のように、ユーザの満足する読取画像が得られておらず再度画像の読取が必要な場合、その場で設定内容を再調整して次回の読取を予約するようにした。
【００６７】
これにより、再読取のページとして設定内容を変更した場合に、管理テーブル内に新たにコラムを作成して追加し、管理テーブルで次回の本スキャンでのスキャン実行を予約することができ、本スキャンを繰り返すことができる。
【００６８】
また、読取時の設定内容の調整前の画像を、調整後の画像と比較するために選択的して保存しておくようにした。
【００６９】
その結果、読取時の設定内容の調整を試行錯誤しながら行う際に、候補となる読取画像を一時保存しておき、設定内容の調整後に読取った画像と比較して適当な画像を最終的に登録する事ができるようなり、ユーザは、複数の読取画像の候補から最も適当な画像を選択しやすい。
【００７０】
また、ページ毎の設定を管理する事によって、次回のスキャン処理もユーザが文書単位で原稿を取り扱い、自動的に再設定されたページのみを読取るようにした。
【００７１】
これにより、次回のスキャン作業も文書単位で行い自動的に再設定されたページのみを入力する事ができるようになった。
【００７２】
次に、この画像読取システムによる画像読取処理のユーザによる操作を図１６、画像読取システムによるエラー検知処理を図１７、本スキャン処理を図１８に示すフローチャートを参照しつつ説明する。ここでは、複数頁からなる文書単位の原稿を、プリスキャン処理、画像確認、入力設定調整、本スキャンの順で行われる処理を１つのセッションとして説明する。
【００７３】
ます、ユーザは、図３に示すようなモード設定画面で、入力部１４により文書単位でのスキャンモードを選択する指示キー３２を指示する（ステップ１）。次に、ユーザは、図４に示すようなユーザ登録画面で、各ユーザに与えられているユーザＩＤとパスワードとを入力する（ステップ２）。
【００７４】
制御部１０は、ユーザにより入力されたユーザＩＤとパスワードによりユーザの認証を行う。
【００７５】
これによりユーザが認証されると、ユーザは、読取る文書単位の原稿をＡＤＦ１１ａにセットする（ステップ３）。さらに、ユーザは、プリスキャンでの読取モード、解像度、濃度などパラメータや領域指定などの設定値を指示し（ステップ４）、プリスキャンの開始を指示する（ステップ５）。ここで、領域指定は、タッチパネルを使用したり、マウスやトラックボールなどのポインティングデバイス（図示しない）を使用することにより指定される。
【００７６】
このプリスキャン開始の指示を受けると、制御部１０は、ＡＤＦ１１ａ上にセットされた文書単位の原稿を順次、画像読取部１１により読取ることによりプリスキャン処理を実行する（ステップ６）。この際、制御部１０において、各種のデータが管理テーブル１２ａ内に収納され記憶部１２に保存される。さらに、制御部１０は、このプリスキャン処理と並行して、順次読取った読取画像を画像解析部１８により解析してエラーの有無を検知するエラー検知処理を実行する（ステップ７）。制御部１０は、プリスキャン処理とエラー検知処理とが終了すると、読取った文書単位の画像の一覧を、図６に示すように、表示部１３に表示する。
【００７７】
ユーザは、この表示部１３に表示された画像を見て読取った画像を確認する（ステップ８）。この確認の結果、本スキャン（再読取）が必要なページがない場合（ステップ９）、ユーザは、入力部１３により処理の終了を指示して、入力セッションを終了する。
【００７８】
また、本スキャン（再読取）が必要なページがある場合（ステップ９）、ユーザは、本スキャンを行うページ番号を指定するとともに、読取モード等の設定値の再調整を行う（ステップ１０）。この再調整の設定を行った後、ユーザは、文書単位の原稿をＡＤＦ１１ａに再セットし（ステップ１１）、本スキャンの開始を指示する（ステップ１２）。
【００７９】
この際、制御部１０は、再調整された内容に基づいて、図８に示すように、管理テーブル１２ａの内容を再構成する。制御部１０は、本スキャンの開始が指示されると、ＡＤＦ１１ａ上の原稿を順次読取ることにより本スキャン処理を実行する（ステップ１３）。さらに、制御部１０は、読取った本スキャン処理と並行して読取った原稿の画像のエラー検出処理を実行する（ステップ１４）。制御部１０は、本スキャン処理及びエラー検出処理を終了すると、図９に示すように、表示部１３にプリスキャン時の総ページ数と本スキャン時の総ページ数とを比較することによる総ページ数の確認を行うか否かの選択画面を表示する。
【００８０】
ユーザは、総ページ数の確認を行うか否かを判断し（ステップ１５）、選択画面より指示する。ページ数の確認を行うと判断した際、ユーザは、ページ数の確認の開始を指示する（ステップ１６）。
【００８１】
このページ数の確認の指示に基づいて、制御部１０は、プリスキャン処理時の総ページ数と本スキャン処理時の総ページ数とを比較し、ページ数とが一致するか否かを判断する（ステップ１７）。この判断によりページ数が一致しないと判断した際、制御部１０は、エラーと判断し、表示部１３に図１０に示すようなエラーの通知画面を表示してセッションを中断する（ステップ１８）。
【００８２】
また、上記ステップ１５で、ユーザによりページ数の確認を行わないと指示された際、あるいは上記ステップ１７で制御部１０により総ページ数が一致すると判断した際、制御部１０は、本スキャン処理により読取った画像を確認させるため表示部１３に図１１に示すような読取画像の一覧を表示する。
【００８３】
ユーザは、表示部１３に表示される表示画面を見て、本スキャン処理により読取った画像を含めて文書の全ページの読取画像を確認する（ステップ１９）。この確認の結果、読取画像がユーザの満足するものでなく、本スキャンが必要なページがある場合（ステップ２０）、上記ステップ１０に戻り、再スキャンを指示することにより本スキャン処理を繰り返す。
【００８４】
また、本スキャン処理により読取った画像を含む全ての読取画像がユーザの満足するものであった場合（ステップ２０）、ユーザが入力部１４で処理の終了を指示することにより入力セッションを終了する。
【００８５】
次に、上記図１６に示すフローチャートのステップ７、およびステップ１４で実行するエラー検知処理について図１７に示すフローチャートを参照しつつ詳細に説明する。
【００８６】
すなわち、制御部１０は、プリスキャン処理あるいは本スキャン処理により原稿の画像を読取ると、エラー検知処理を開始する。制御部１０は、画像解析部１８により読取画像に対して傾き検知やかすれ検知などの画像解析処理を行う（ステップ３１）。この結果に基づいて制御部１０は、傾きやかすれなどのエラーが検知されたか否かを判断する（ステップ３２）。この判断によりエラーが検知されたと判断した際、制御部１０は、管理テーブル１２ａのそのページに対応するフラグフィールド５５にエラーが検知されたことを示すフラグを記録する。
【００８７】
また、エラーが検知されなかった際、制御部１０は、そのページに対するエラー検知処理を終了する。
【００８８】
次に、上記図１６に示すフローチャートのステップ１３で実行する本スキャン処理について図１８に示すフローチャートを参照しつつ詳細に説明する。
【００８９】
まず、制御部１０は、ＡＤＦ１１ａにセットされている最初のページを給紙する（ステップ４０）。制御部１０は、管理テーブル１２ａにより給紙したページに本スキャンが必要か否かを判断する（ステップ４１）。この判断により本スキャンが必要なページであると判断すると、制御部１０は、給紙したページについての読取（本スキャン）を実行する（ステップ４２）。
【００９０】
ページに対する読取を終了すると、制御部１０は、読取ったページが文書のページのうちで本スキャンが必要な最後のページであるか否かを判断する（ステップ４３）。この判断により最終のページであると判断すると、そのページを排紙し（ステップ４４）、本スキャン処理を中断する。
【００９１】
上記のように、本スキャン作業を行っている際に、残りの全ページに本スキャンが必要ないと判断された時点で本スキャン作業を中断するようにした。
【００９２】
その結果、無駄なシートフィードにかかる時間をなくし、装置の占有時間を短くする事ができるようになった。
【００９３】
この後、ユーザによりページ数の比較を行うと指示されると、ＡＤＦ１１ａ上の残りのページは、読取りを行わずに原稿給紙とページのカウントのみが実行される。また、ユーザによりページ数の比較を行わないと指示されると、そのままの状態で処理を終了する。
【００９４】
上記のように、本スキャン作業を中断した後にシートフィードのみを行うかどうかを選択し、行う場合にはページ数をカウントしながらシートフィードを行い本スキャンでの総ページ数を算出することができるようにした。
【００９５】
その結果、シートフィードミスによる読取エラーが生じたかどうかを総頁数によって検出することができるようになった。また、文書が最終的に最初と同じ１つのまとまりとして取り出す事ができ、文書単位での扱いが容易になった。
【００９６】
また、上記ステップ４４で、本スキャンの必要な最後のページでないと判断した際、あるいは上記ステップ４１で、本スキャンが必要なページでないと判断すると、給紙したページを排紙し（ステップ４５）、上記ステップ４０へ戻って、次の原稿をＡＤＦ１１ａから給紙して上記処理を繰り返す。
【００９７】
このようにして、記憶部１３に読取画像を保存する事ができる。また、この読取画像は、ネットワークを介してサーバ２２のデータベースに登録したりクライアントＰＣ２３に登録したりすることができる。
【００９８】
以上のような過程を経る事により、文書単位で画像を入力するシステムに対し、文書の入力を容易にし、入力に要する時間を短縮しさらにシートフィードエラーによるページ抜けの検出や画像確認をーつの入力作業セッション中に行うシステムを構築する事ができる。
【００９９】
上記のように、読取処理を行った際に表示手段に表示し、その読取った画像をが最終的な登録用の画像として利用可能であるかを判断するようにした。さらに、これらの作業により、文書単位での画像入力、確認、設定、判断、再入力、登録の過程を１回のセッションとしてその場で行うようにしたものである。
【０１００】
これにより、最終的に登録を必要とする画像だけをネットワークを介して転送することができるようになり、通信および記億装置の負荷を低減させることができるようになった。
【図面の簡単な説明】
【０１０１】
【図１】この発明の実施の形態に係わる画像読取システムの概略構成を示すブロック図。
【図２】この画像読取システムが利用される環境の例を示す図。
【図３】ディジタル複写機でのスキャンモードを設定する設定画面の表示例を示す図。
【図４】ユーザ登録画面の表示例を示す図。
【図５】プリスキャン処理の終了時における管理テーブルの例を説明するための図。
【図６】プリスキャン処理の終了時における読取画像の一覧表示の表示例を示す図。
【図７】指定されたページ画像の表示例を示す図。
【図８】入力設定調整の終了時における管理テーブルの例を説明するための図。
【図９】総ページ数の確認指示の選択画面の表示例を示す図。
【図１０】エラー通知の画面表示例を示す図。
【図１１】本スキャン処理の終了時における読取画像の一覧表示例を示す図。
【図１２】指定されたページの読取画像の表示例を示す図。
【図１３】指定されたページの読取画像の表示例を示す図。
【図１４】指定されたページの読取画像の表示例を示す図。
【図１５】複数回の入力設定調整の終了時における管理テーブルの例を示す図。
【図１６】ユーザによる操作の流れを説明するためのフローチャート。
【図１７】画像読取システムによるエラー検知処理の流れを説明するためのフローチャート。
【図１８】画像読取システムによる本スキャン処理の流れを説明するためのフローチャート。
【符号の説明】
【０１０２】
１０…制御部、１１…画像読取部、１１ａ…ＡＤＦ、１２…記憶部、１２ａ…管理テーブル、１３…表示部、１４…入力部、１７…通信部、１８…画像解析部、２０…ディジタル複写機、２１…ネットワーク
【図１】
2008301502.tif 000003
【図２】
2008301502.tif 000004
【図３】
2008301502.tif 000005
【図４】
2008301502.tif 000006
【図５】
2008301502.tif 000007
【図６】
2008301502.tif 000008
【図７】
2008301502.tif 000009
【図８】
2008301502.tif 000010
【図９】
2008301502.tif 000011
【図１０】
2008301502.tif 000012
【図１１】
2008301502.tif 000013
【図１２】
2008301502.tif 000014
【図１３】
2008301502.tif 000015
【図１４】
2008301502.tif 000016
【図１５】
2008301502.tif 000017
【図１６】
2008301502.tif 000018
【図１７】
2008301502.tif 000019
【図１８】
2008301502.tif 000020